(57)【要約】【目的】現場で使用するコードレスインパクトドライバーのトルクを利用して、脚立作業で厄介な照明灯の細長い開口作業時の鋼製天井下地材の切断ができる装置を提供することにある。【構成】相対する２つの相対鋼製下地材用形刃に鋼製下地材を填め込み、インパクトドライバーのトルクを利用してボルトを回し、そのボルトの回転により２つの相対鋼製下地材用形刃の間に中心を頂点とする鈍角の切断刃が入り鋼製下地材を切断する切断装置である。【選択図】　　　　図１
2004001159.tif 000002
【特許請求の範囲】
【請求項１】
図のように下向で中心部を頂点とする鈍角となる切断刃１を固定するフレーム体２と、該フレーム体を上下に滑動可能に取り付けられたスライド体３と、前記フレーム体２の一方側の上部に構成される鋼製天井下地材挿入開口２’と、前記スライド体３に切断刃１の両側を挟み密接滑動可能に固定された２つの相対鋼製下地材用形刃４と、前記スライド体３に構成される鋼製天井下地材の切断屑の取り出し口４’と、前記フレーム体２の下部の中央部分に設けたボルト５の受けナット６と、前記フレーム体２の下部に固定された装置全体の振り回し防止手段を有する作業用ハンドル７と、前記ボルト５の一端側がスライド体３に回動自在に連結手段を有し他端側が装置を可能にするインパクトドライバー８のトルクの伝達手段を有し、該伝達手段がボルト５の回転手段と、スライド体３の移動手段とを備えたインパクトドライバー切断装置。
【請求項２】
移動手段をより可能にするナット６’部を構成したスライド体３と、インパクトドライバー８のトルクの伝達手段と、回転手段を持つボルト５’と、フレーム体２の下部の中央部にボルト５’の回動連結手段を備える請求項１に記載のインパクトドライバー切断装置。
【請求項３】
切断手段をスムーズにし、スライド体３の移動手段を可能にする２つのナット６部ａ、６ｂを構成したスライド体３と、フレーム体及び該フレーム体の下部に回動自在に固定し回転手段を有するボルト５ａ、５ｂと、前記ボルト５ａ、５ｂの下端側に構成する伝達手段を有する平形歯車５ａ’、５ｂ’と、前記平形歯車５ａ’、５ｂ’の間に位置し回動自在に固定するインパクトドライバー８のトルクの伝達手段を有する歯車体９とからなる請求項１に記載のインパクトドライバーの切断装置。
【発明の詳細な説明】
【０００１】
【産業上の利用分野】
この発明は、現場で使用する簡単な電動工具のインパクトドライバーを利用して鋼製天井下地材の切断をする装置に関する。
【０００２】
【従来の技術】
ビルの内装工事で下地材として広く用いられている鋼製下地材の切断は一般に回転式の砥石刃を用いた１００Ｖの高速サンダーで現場で寸法に切断し組立てる。その後下地材にネジビスでプラスターボードを張り、その上に仕上げ材を張り天井とか壁を作る。
【０００３】
【発明が解決しようとする課題】
しかし、この内装下地の作業は組立中での作業時の間取りの変更等での切断は簡単に出来るがプラスターボードを張った後に内装の下地材の切断をするのが難しく、特に天井の鋼製天井下地材の切断の場合などは天井内に照明電線とかダクトとか電話線、防災線、スプリンクラーの配管などが縦横に通りその間に塵が貯まっていることが屡々ある。また、油圧式の切断機が市販されているが大きく重く、狭い場所に向かず、特に照明灯などの開口の作業はアルミの脚立でするため作業的に無理である。また、鋼製下地材が薄い板の折り曲げ品のため一カ所に重い油圧の切断機を填めることなど出来る訳がない。
【０００４】
また、高速サンダーでの切断作業では火災の危険があるため使用することが全く出来ない。結局鋼製天井下地材の切断はハサミに頼らなければならないのが実状である。そして、ハサミによる切断ではハサミ自体が大きくて長いので無理に力を入れ下地材の形を崩し、切り口が揃わずプラスターボードから下地材を取ってしまうことがある。また、店舗ビルの短期間での改装工事での内装作業で天井に蛍光灯灯を増設する場合などは照明灯用の開口部のため身体が入らず脚立に乗り手作業で鋼製天井下地材を切断するため天井裏が狭かったりダクトが設置してありったりでハサミなどが使用することが出来ない様な狭い場所が数多くある。
【０００５】
本発明はこのような問題に鑑みなされたもので、従来のようなハサミによる切断によることなく鋼製天井下地材を現場で使用する電動工具を利用して簡単に切断することができ、特に拘束してある鋼製天井下地材をコードレスインパクトドライバー等を使い早く簡単で安全に切断することができる切断機を提供することにある。
【０００６】
【課題を解決するための手段】
このような目的を達成するための本発明は、図のように下向で中心部を頂点とする鈍角となる切断刃１を固定するフレーム体２と、該フレーム体を上下に滑動可能に取り付けられたスライド体３と、前記フレーム体２の一方側の上部に構成される鋼製天井下地材挿入開口２’と、前記スライド体３に切断刃１の両側を挟み密接滑動可能に固定された２つの相対鋼製下地材用形刃４と、前記スライド体３に構成される鋼製天井下地材の切断屑の取り出し口４’と、前記フレーム体２の下部の中央部分に設けたボルト５の受けナット６と、前記フレーム体２の下部に固定された装置全体の振り回し防止手段を有する作業用ハンドル７と、前記ボルト５の一端側がスライド体３に回動自在に連結手段を有し他端側が装置を可能にするインパクトドライバー８のトルクの伝達手段を有し、該伝達手段がボルト５の回転手段と、スライド体３の移動手段とを備えたインパクトドライバー切断装置である。
【０００７】
このような切断装置のより好ましい構造は、移動手段をより可能にするナット６’部を構成したスライド体３と、インパクトドライバー８のトルクの伝達手段と、回転手段を持つボルト５’と、フレーム体２の下部の中央部にボルト５’の回動連結手段を備えることである。
【０００８】
鋼製天井下地材の切断時はスライド体３の移動手段を有するボルト５’には大きな圧縮力が掛かるため、複数（２本）の同形ボルトで構成することができる。この場合の好ましい構造は、切断手段をスムーズにし、スライド体３の移動手段を可能にする２つのナット６部ａ、６ｂを構成したスライド体３と、フレーム体及び該フレーム体の下部に回動自在に固定し回転手段を有するボルト５ａ、５ｂと、前記ボルト５ａ、５ｂの下端側に構成する伝達手段を有する平形歯車５ａ’、５ｂ’と、前記平形歯車５ａ’、５ｂ’の間に位置し回動自在に固定するインパクトドライバー８のトルクの伝達手段を有する歯車体９とからなる。
【０００９】
【作用】
フレーム体２は、上部に下向で中央部を頂点とする鈍角となる切断刃１を固定し、その切断刃１の一方側の下部付近に構成される鋼製天井下地材挿入開口２’を有し、下部側にスライド体３の移動手段を可能にするボルト５の受けナット６と、インパクトドライバー８のトルクによる装置の振り回し防止手段を可能にする作業用ハンドル７を構成している。
スライド体３は、フレーム体２に沿って上昇下降し滑動自在に移動することができる。また、スライド体３の上側に鋼製天井下地材の切断刃１の両側を挟み密接滑動可能に固定される２つの相対鋼製下地材用形刃４が固定されている。そして、相対鋼製下地材用形刃４の真下に鋼製天井下地材屑の取り出し口４’が構成され、切断後の切り屑の取り出しができる。そして、スライド体３の滑動移動手段を可能にするボルト５の一端側が回動自在に連結されている。
【００１０】
ボルト５は一端側がスライド体３に回動連結され他端側はインパクトドライバー８のトルクの伝達手段を有し、スライド体３の移動手段はインパクトドライバー８の回転用正逆スイッチ９の操作手段により行う。
鋼製天井下地材挿入開口２’に切断鋼製天井下地材を挿入し、スライド体３に固定されている相対鋼製下地材用形刃４に下地材を填め込み、ボルト５の他端側にインパクトドライバー８を取り付け、作業用ハンドル７を片手で掴まえ回転用正逆スイッチ９を操作しスライド体３を上部移動させ、切断後正逆スイッチ９を操作でスライド体３を下げ下地材を相対鋼製下地材用形刃４から外し、鋼製天井下地材挿入開口２’から下地材をだし、その後スライド体３に設けられている鋼製天井下地材屑の取り出し口４’から切り屑を取り出す。
【００１１】
また、スライド体３にナット部６’を１つ構成する装置では、ボルト５’の一端側をスライド体３のナット部６’に填め込み、他端側はインパクトドライバー８の回転手段を伝導でき、フレーム体２に回動自在に連結されれば、ナット部６’に切り屑等の塵が入ることがない。
【００１２】
なお、スライド体３にナット部を複数（２つ）構成する装置では、切断手段をスムーズにし、スライド体３の移動手段を可能にする２つのナット６ａ、６ｂ部を構成したスライド体３と、フレーム体及び該フレーム体の下部に回動自在に固定し回転手段を有するボルト５ａ、５ｂと、前記ボルト５ａ、５ｂの下端側に構成する伝達手段を有する平形歯車５ａ’、５ｂ’と、前記平形歯車５ａ’、５ｂ’の間に位置し回動自在に固定されインパクトドライバー８のトルクの伝達手段を有する歯車体９とからなるため、スライド体３に大きな切断圧縮力が掛かかる場合などでもボルトが２本構成されているためインパクトドライバー８のトルクを増加させることがなくなる。
【００１３】
【実施例】
図１ないし図３は本発明の一実施例を示すもので、図１は全体斜視図、図２は断面図であり、図４はスライド体３にナット６’１つ構成した装置の斜視図、図７はスライド体３にナット部を複数（２つ）構成した装置の斜視図であり、図８は鋼製天井下地材セットの斜視図である。
図に於いて、１は下向きの中心部を頂点とする鈍角刃体を持つ切断刃であり、鈍角を構成する相対する２辺により凹型の鋼製下地材の上部から叙叙に切断していく刃体でフレーム体２に固定されており、本実施例の刃体１はネジにより固定され交換することが可能である。
【００１４】
２はフレーム体であり上部に鋼製天井下地材の切断刃体１をネジにより固定している。前記刃体１の下側になりフレーム体２の片側に切断すべき鋼製天井下地材の挿入口２’を設けてある。また、フレーム体２に沿って滑動可能に取り付けられたスライド体３が取り付けられている。そのスライド体３の上下移動を可能にするボルト５の受けナット部６が下部側の中央部に設けられている。そのボルト５の一端側はスライド体３に回転動作が自在で連結されている。そのボルト５の他端側はナット部６に填められ、他端側先端にインパクトドライバー８の回転力の伝達手段を有している。このフレーム体２の下部にインパクトドライバー８のトルク（回転力）による装置の振り回し防止手段を有している作業ハンドル７が固定されている。また、前記フレーム体２は、切断する鋼製天井下地材の挿入口２’を設け、移動可能なスライド体３をフレーム体２のレール部で挟む構成としてあるが、この実施例に限らずスライド体３がフレーム体２に沿って滑動自在に移動できる構造であれば上記に限ることはない。また、図９のように切断する箇所が多い場合などに使用する挿入口２’の補強アーム３２を設けても差し支えない。
【００１５】
３はフレーム体２を移動するスライド体であり、ボルト５により移動手段を有し、フレーム体２を挟む両側の上部にフレーム体２に固定される切断刃体１の両側に密接して滑動可能に２つの相対鋼製下地材用形刃４を本実施例ではネジ１０により固定手段を有している。その相対鋼製下地材用形刃４の真下に切断後の切断屑の取り出し口４’が設けてある。
【００１６】
４は相対鋼製下地材用形刃４であり、スライド体３のフレーム体２を挟む両側にネジ１０により固定手段を有している。鋼製天井下地材の主な部材であるシングル野縁、ダブル野縁、野縁受け、の各種類に応じて形刃４を変えることにより各種類の切断が可能となる。また、上記の鋼製天井下地材の切断に限らずケーブル線及び吊りボルトなど刃体を変えることにより様々な使用に適する。
【００１６】
５はスライド体３の移動手段を可能にするボルトであり、一端側が回動自在にスライド体３に連結手段を有し、他端部側がフレーム体２に構成されるナット部６の内側のネジ山に填り、端部に切断装置１５を可能にするインパクトドライバー８のトルクの伝達手段を有しインパクトドライバー８の回転操作手段により、スライド体３の移動手段を有する。
【００１７】
６はフレーム体２の下部の中央部に構成されるナット部であり、スライド体３の移動を可能にするボルト５の受けナットでありボルト５のネジ山６’を内側に構成し、ボルト５にインパクトドライバー８のトルクによる回転手段を有し、その動作により、スライド体３が移動手段を有する。
【００１８】
７はフレーム体２の下部に固定される切断装置におけるインパクトドライバー８のトルクによる振り回し防止手段を有する作業用ハンドルであり、本実施例では図のように握り棒であるが、これとは別にインパクトドライバー８の本体に装置を固定する（図示せず）ことも可能である。
【００１９】
８は市販されているコードレスインパクトドライバー或いは電通インパクトドライバー、コードレスドライバー等であり、ボルト５の他端側の先端は６角柱あるいは６角ボルト頭で市販品に予め固定されているアタッチメントなど、使用など様々な形式で良い。すなわちドライバーのトルクを伝達できる形式であれば上記に限ることは無い。また、フレーム体２を移動するスライド体３に電気接点を付け切断後に自動的に元の位置に戻る配線をインパクトドライバー８に配線してもできる。
【００２０】
図４に示すように、スライド体３にナット部（この実施例では１つ）を６’を構成し、このスライド体３の移動手段を有するボルト５’の一端側がナット部６’に填り、他端側がフレーム体２に回転自在に連結され、そのボルト６’の先端がインパクトドライバー８のトルク（回転力）の伝達手段を有する。
【００２１】
また、図７に示すように、スライド体３にナット部（この実施例では２つ）を２つ６ａ、６ｂを構成し、この２つのナット部６ａ、６ｂに填る同形のボルト５ａ、５ｂの他端側に同形歯数の平形歯車５ａ’、５ｂ’が構成され、そのボルト５ａ、５ｂがフレーム体２に回動自在に連結され、そのボルト５ａ、５ｂの間に位置し、そのボルトに回転手段を与えフレーム体２に回動自在に固定される歯車体９が構成され、その歯車体９に回転力を伝導手段を有するインパクトドライバー８を填め込み操作をする。
【００２２】
すなわち、フレーム体２及び該フレーム体の上部の鍔部２０にネジ２１で固定される鋼製天井下地材Ａの切断刃１（下向き中心部が頂点とする鈍角形）と、フレーム体２の片側に鋼製天井下地材の切断用挿入口２’とフレーム体２及び該フレーム体のレール部２２を掴み摺動体２３により上下に滑動可能に取り付けられたスライド体３と、前記切断刃１両側を挟み密接滑動可能に取り付け固定される２つの相対鋼製天井下地材用刃体４と切断屑取り出し口４’を構成している。このスライド体３に設けられるボルト挿入口２４に固定されているボルトカラー２５を上下に挟み軸圧摺動手段を有するスラストベアリング２６が装着され、そのスラストベアリング２６からボルト５の先端部が臍形円体２８となりストッパーリング２７が臍形円体２８に係止され回動連結されている。ボルト５の他端側はフレームの下部の中央部に構成されるナット部６に填りボルト５の回転操作手段によりスライド体３が上下移動を繰り返す、その先端部はインパクトドライバー８のアタッチメントに接続できる。
【００２３】
上記実施例以外にスライド体３にナット部６を１つ構成しボルト５の一端側をスライド体３のナット部６に填め込み他端側は臍形円体２８を構成し、フレーム体２の下部の中央部に臍挿入貫通孔２９を設け、その貫通孔２９の上下に挟み軸圧摺動手段を有するスラストベアリング２６が装着され、ボルト５の臍形円体２８がスラストベアリング２６と貫通孔２９を貫通しストッパーリング２７が臍形円体２８に係止され、その先端部がインパクトドライバー８のアタッチメントに接続できる。
【００２４】
また、このような実施例とは別に、スライド体３にナット部６ａ、６ｂ（同形）を２つ設け同形同ピッチのボルト５ａ、５ｂをナット部６ａ、６ｂに填め込み他端側に同形で歯数が同じの平形歯車５ａ’、５ｂ’を設け、その平形歯車の先端部に臍形円体２８を構成し、フレーム体２の下部に２つの臍挿入貫通孔２９を設けその臍挿入貫通孔２９を上下に挟み軸圧摺動手段を有するスラストベアリング２６に臍形円体２８を挿入し端部にストッパーリング２７で係止する。その平形歯車５ａ’、５ｂ’の中間に位置し、平形歯車５ａ’、５ｂ’の同形の歯車を持ちインパクトドライバー８の回転力の伝導手段を有する歯車体９がフレーム体２に回動自在に係止されている。
【００２５】
次に上記の切断装置の使用法を説明する。
図１及び図２，３に示すように切断をする鋼製天井下地材Ａの野縁等の形を見てスライド体３に固定される相対鋼製下地材用形刃４を取り付け或いは交換して、切断すべき各鋼製天井下地材Ａに相対鋼製下地材用形刃４を填め込み、スライド体３の移動を可能にするボルト５の先端にインパクトドライバー８のアタッチメント接続して、フレーム体２に固定されている作業用ハンドルを握り、回転操作スイッチを操作し、ボルト５に回転を与える。切断が済んだらスライド体３に設けられている鋼製天井下地材の取り出し口４’から切り屑を取り出し、回転操作スイッチを操作して、スライド体３を下に降ろし操作が終わる。
【００２７】
【発明の効果】
以上述べた本発明によれば、建設内装現場で使用し易い簡単な電動インパクトドライバーを用い鋼製天井下地材とか吊りボルト、そして、電気の配線ケーブル等の切断ができる。作業者の肉体的負担を従来より大幅に軽減でき作業自体を極めて安全に行うことができ油圧式より部品数が少なく安価にできる利点がある。
【図面の簡単な説明】
【図１】本発明の一実施例の斜視図
【図２】図１の側面図
【図３】図１中Ｉ−Ｉ線に沿う断面図
【図４】スライド体３にナット部を構成した一実施例の斜視図
【図５】図４の側面図
【図６】図４のＩＩ−ＩＩ線に沿う断面図
【図７】スライド体３にナット部を２つ構成した一実施例の斜視図
【図８】図７の装置に構成下地材セット後の斜視図
【図９】フレーム体２に補強アームを取り付けた斜視図
【符号の説明】
１−−切断刃　　２−−フレーム体　　２’−−鋼製下地材挿入開口　　３−−スライド体　　４−−相対鋼製下地材用形刃　　４’−−切断屑取り出し口　５−−ボルト　　５’−−ボルト　　５ａ、５ｂ、−−ボルト　　５ａ’、５ｂ’、−−伝達歯車　　６−−受けナット　　６ａ、６ｂ、−−ナット　　７−−作業用ハンドル　　８−−インパクトドライバー　　９−−歯車体　　１０−−ネジ　　２０−−鍔部　　２１−−ネジ　　２２−−レール部　　２３−−摺動体　　２４−−ボルト挿入口　　２５−−ボルトカラー　　２６−−スラストベアリング　　２７−−ストッパーリング　　２８−−臍形円体　　２９−−臍挿入貫通孔　　３０−−カラーストッパー　　３１−−接続６角柱　　３２−−補強アーム　　３３−−ベアリングカバー　　Ａ−−鋼製下地材
【図１】
2004001159.tif 000003
【図２】
2004001159.tif 000004
【図３】
2004001159.tif 000005
【図４】
2004001159.tif 000006
【図５】
2004001159.tif 000007
【図６】
2004001159.tif 000008
【図７】
2004001159.tif 000009
【図８】
2004001159.tif 000010
【図９】
2004001159.tif 000011